(57)【要約】【課題】コンデンサの破損を防止する。【解決手段】ノイズフィルタ１０は、電線４１を包囲するリング状の磁性材料からなるコア１１と、コア１１に潜らせたインダクタ１４と、インダクタ１４の両端に接続したコンデンサ１８と、コア１１を保持する保持部材２０と、保持部材２０に形成され、コンデンサ１８を収容可能な収容室３３とを備えている。コンデンサ１８を収客室３３に収容すれば、コンデンサ１８とコア１１との衝突が回避され、コンデンサ１８に対する異物の干渉も回避されるので、コンデンサ１８の破損を防止できる。【選択図】図１
2015167271.tif 000002
【特許請求の範囲】
【請求項１】
電線を包囲するリング状の磁性体材料からなるコアと、
前記コアに潜らせたインダクタと、
前記インダクタの両端に接続したコンデンサと、
前記コアを保持する保持部材と、
前記保持部材に形成され、前記コンデンサを収容可能な収容室とを備えていることを特徴とするノイズフィルタ。
【請求項２】
前記保持部材は、前記コアを収容するコア収容部材と、前記収容室が形成されていて前記コア収容部材に対して着脱可能なコンデンサ収容部材とを備えて構成されていることを特徴とする請求項１記載のノイズフィルタ。
【請求項３】
前記コアが、一対の半割磁性体を合体させて構成されたものであり、
前記コア収容部材が、前記一対の半割磁性体を個別に保持可能な一対の半割部材を合体させて構成されたものであることを特徴とする請求項２記載のノイズフィルタ。
【発明の詳細な説明】
【技術分野】
【０００１】
本発明は、ノイズフィルタに関するものである。
【背景技術】
【０００２】
特許文献１には、主配線を包囲するリング状の磁性体コアと、共振回路とを備えたノイズフィルタが開示されている。共振回路は、磁性体コアに潜らせた共振用配線と、共振用配線の両端に接続したコンデンサとから構成されている。
【先行技術文献】
【特許文献】
【０００３】
【特許文献１】特開２０１２−０１９５０４号公報
【発明の概要】
【発明が解決しようとする課題】
【０００４】
上記ノイズフィルタは、コンデンサが接続されている共振用配線が、磁性体コアに巻かれているだけであって、磁性体コアに固定されてはいない。したがって、コンデンサは、振動を受けたような場合に、磁性体コアに衝突して破損することが懸念される。尚、コンデンサが磁性体コアに衝突するのを防止する手段としては、磁性体コアとコンデンサを熱収縮チューブにより一体化させることが考えられるが、この方法では、熱収縮チューブが熱収縮する際に、コンデンサが無理な力を受けて破損する虞がある。
【０００５】
本発明は上記のような事情に基づいて完成されたものであって、コンデンサの破損を防止することを目的とする。
【課題を解決するための手段】
【０００６】
本発明のノイズフィルタは、
電線を包囲するリング状の磁性材料からなるコアと、
前記コアに潜らせたインダクタと、
前記インダクタの両端に接続したコンデンサと、
前記コアを保持する保持部材と、
前記保持部材に形成され、前記コンデンサを収容可能な収容室とを備えているところに特徴を有する。
【発明の効果】
【０００７】
この構成によれば、コンデンサを収容室内に収容すれば、コンデンサとコアとの衝突が回避されるとともに、コンデンサに対する外部からの異物の干渉も回避できるので、コンデンサの破損を防止できる。
【図面の簡単な説明】
【０００８】
【図１】実施例１のノイズフィルタをワイヤーハーネスに取り付けた状態をあらわす一部切欠正面図
【図２】ノイズフィルタをワイヤーハーネスに取り付けた状態をあらわす平面図
【図３】ノイズフィルタをワイヤーハーネスに取り付けた状態をあらわす右側面図
【発明を実施するための形態】
【０００９】
（１）本発明のノイズフィルタは、前記保持部材は、前記コアを収容するコア収容部材と、前記収容室が形成されていて前記コア収容部材に対して着脱可能なコンデンサ収容部材とを備えて構成されていてもよい。この構成によれば、コンデンサとインダクタを用いずにコアだけでノイズ除去を行う場合に、コア収容部材からコンデンサ収容部材を外しておくことにより、保持部材を小型化することができる。
【００１０】
（２）本発明のノイズフィルタは、（１）のものにおいて、前記コアが、一対の半割磁性体を合体させて構成されたものであり、前記コア収容部材が、前記一対の半割磁性体を個別に保持可能な一対の半割部材を合体させて構成されたものであってもよい。この構成によれば、コアを電線に取り付ける作業が容易である。
【００１１】
＜実施例１＞
以下、本発明を具体化した実施例１を図１〜図３を参照して説明する。尚、以下の説明において、上下の方向については図１，３に表れる向きを、そのまま上方、下方と定義する。また、左右の方向については、図１，２に表れる向きを、そのまま右方、左方と定義する。
【００１２】
本実施例１のノイズフィルタ１０は、３本の電線４１を左右に並列状に束ねて構成されたワイヤーハーネス４０に取り付けられることでノイズを除去するものである。ノイズフィルタ１０は、コア１１と、フィルタ回路１３を構成するインダクタ１４と、同じくフィルタ回路１３を構成するコンデンサ１８と、コア１１及びコンデンサ１８を保持する保持部材２０とを備えて構成されている。
【００１３】
コア１１は、鉄等の磁性材料からなり、図１に示すように、３本の電線４１を一括して包囲する長円形をなす。コア１１は、長円の長軸方向に沿って分割した上下対称な一対の半割磁性体１２を合体させて構成されている。コア１１は、３本の電線４１を包囲することで、電線４１のノイズを除去するフィルタとしての機能を発揮する。
【００１４】
フィルタ回路１３は、導電性（金属製）の線材からなる１本のインダクタ１４と、１つのコンデンサ１８とをループ状に接続して構成されている。フィルタ回路１３は、コア１１に対し、その右端部に潜らせるようにして取り付けられている。インダクタ１４は、コア１１の内周面と前後両面と対応するように配置され、コンデンサ１８は、コア１１の外周面側に配置される。コア１１に取り付けられたフィルタ回路１３は、電線４１のノイズを除去するフィルタとしての機能を発揮する。
【００１５】
インダクタ１４は、全体として略方形をなすように曲げられた形状である。即ち、インダクタ１４は、前後方向に延びる細長い線状基部１５と、線状基部１５の前後両端から平行に延出する細長い前後一対の線状側部１６と、一対の線状側部１６の延出端から相手側に向かって基部と平行に片持ち状に延出する前後一対の線状端部１７とから構成されている。したがって、インダクタ１４は、略方形を構成する一辺において、一対の線状端部１７が互いに間隔を空けて対向するように配置されている。
【００１６】
コンデンサ１８は、全体としてブロック状をなしており、コンデンサ１８の両端面は一対の電極１９となっている。コンデンサ１８は、インダクタ１４の線状端部１７の間に配置されている。そして、インダクタ１４の前後一対の線状端部１７がコンデンサ１８の一対の電極１９に対し溶接等の手段により導通可能に固着されている。これにより、全周に亘って繋がった略方形のリング状をなすフィルタ回路１３が構成されている。
【００１７】
保持部材２０は、合成樹脂材料（絶縁材料）のコア収容部材２１と、同じく合成樹脂材料（絶縁材料）のコンデンサ収容部材３０とを組み付けて構成されている。コア収容部材２１は、上下一対の半割部材２２，２３を合体させることによって構成され、コア１１の形状に合わせた長円形をなしている。一対の半割部材２２，２３には、夫々、半割磁性体１２を収容するコア収容空間２４が形成されている。コア収容空間２４は、コア収容部材２１の内周面（ワイヤーハーネス４０と対向する面）に開放されている。
【００１８】
上側の半割部材２２には、その外周面における左右両端部から外側へ突出する左右対称な一対の合体用係止片２５が形成されている。合体用係止片２５の下向きの突出端部は、左右方向に弾性撓み可能となっている。また、上側の半割部材２２には、その外面における右端部から張り出した組付用支持部２６が形成されている。組付用支持部２６の正面視形状は、Ｌ字を上下反転させた形状であり、板状をなしている。組付用支持部２６には、左右方向に貫通した形態の組付用係止孔２７が形成されている。
【００１９】
下側の半割部材２３には、その外周面における左右両端部から水平外向きに突出した板状の一対の合体用支持部２８が形成されている。合体用支持部２８には、上下方向に貫通した形態の合体用係止孔２９が形成されている。上側の半割部材２２と下側の半割部材２３を上下に合体すると、合体用係止片２５が合体用係止孔２９に係止することにより、上下両半割部材２２，２３が合体状態にロックされ、コア収容部材２１が構成される。
【００２０】
コンデンサ収容部材３０は、弧状収容部３１と、上下一対の組付用係止片３２とを備えた単一部品である。弧状収容部３１は、軸線を前後方向に向けた円弧形をなしており、弧状収容部３１の内部空間は、コンデンサ１８を収容するための収容室３３となっている。収容室３３の内周面は円弧形をなし、その内径寸法は、コンデンサ１８に外接する仮想円の直径と同じか、それよりも僅かに大きい寸法である。
【００２１】
弧状収容部３１の右端部には、前後方向にスリットに延びる開口部３４が形成されている。収容室３３の前後両端は、開口部３４に連通しているとともに、弧状収容部３１の外部に開放されている。弧状収容部３１は、開口部３４の上下方向の開口寸法を拡大させるように弾性撓みし得るようになっている。このときの拡大寸法は、コンデンサ１８を通過させることが可能な寸法である。
【００２２】
上下一対の組付用係止片３２は、弧状収容部３１の左端部から左方へ片持ち状に突出した形態である。上下両組付用係止片３２は、互いに上下に接近するように弾性撓みし得るようになっている。コンデンサ収容部材３０は、上下両組付用係止片３２を組付用係止孔２７に係止させることで、上側の半割部材２２に組み付けられている。組付け状態では、弧状収容部３１が組付用支持部２６よりも右方に位置する。
【００２３】
次に、ノイズフィルタ１０の組付け工程を説明する。組付けに際しては、まず、インダクタ１４とコンデンサ１８とを接続し、リング状のフィルタ回路１３を構成しておく。そして、このフィルタ回路１３をコンデンサ収容部材３０に取り付ける。取付けに際しては、弧状収容部３１を拡開状に弾性変形させて開口部３４を拡げ、その拡げた開口部３４を通してコンデンサ１８を収容室３３内に収容する。また、フィルタ回路１３とコンデンサ収容部材３０の取付け工程と前後して、コンデンサ収容部材３０を上側の半割部材２２に組み付ける。
【００２４】
一方、コア収容部材２１については、分離状態にした一対の半割部材２２，２３のコア収容空間２４に、夫々、半割磁性体１２を収容する。そして、フィルタ回路１３のインダクタ１４のうちコンデンサ１８とは反対側の前後方向の線状基部１５を、上側の半割部材２２及び半割磁性体１２の内周における右端部に接近させる。そして、ワイヤーハーネス４０を挟むようにして上下両半割部材２２，２３を合体させ、合体用係止片２５と合体用係止孔２９との係止により両半割部材２２，２３を合体状態にロックする。これにより、一対の半割磁性体１２が、ワイヤーハーネス４０（３本の電線４１）を一括して包囲する状態で長円形のリング状に合体され、コア１１が構成される。
【００２５】
また、インダクタ１４の線状基部１５は、電線４１と同じくコア１１によって一括包囲された状態となる。インダクタ１４の前後一対の線状側部１６は、コア収容部材２１の前面と後面に沿って左右方向を向いて配置される。インダクタ１４の線状端部１７は、収容室３３からコンデンサ収容部材３０の前方と後方へ突出するように配置されている。以上により、ノイズフィルタ１０の組付けと、ワイヤーハーネス４０への取付けが完了する。
【００２６】
ノイズフィルタ１０をワイヤーハーネス４０に取り付けた状態では、コンデンサ１８がコア１１の外周側に位置しているため、ノイズフィルタ１０が振動を受けたときに、コンデンサ１８がコア１１の外周に衝突して破損することが懸念される。しかし、コンデンサ１８は、合成樹脂製のコンデンサ収容部材３０の収容室３３に収容されているので、直接、コア１１に衝突する虞はない。また、収容室３３内に収容されていることで、コンデンサ１８は外部からの異物の干渉から保護されている。したがって、コンデンサ１８が破損する虞はない。
【００２７】
また、コンデンサ１８を収容しているコンデンサ収容部材３０は、弾性撓み可能な組付用係止片３２を解してコア収容部材２１に組み付けられているので、ワイヤーハーネス４０からコア収容部材２１に伝わった振動や衝撃は、組付用係止片３２の弾性変形によって吸収される。しかも、組付用係止片３２が係止されている組付用支持部２６も、板状をなしていて弾性変形可能であるから、コンデンサ収容部材３０からコンデンサ収容部材３０側への振動や衝撃の伝達は、組付用支持部２６の弾性変形によって吸収される。したがって、ワイヤーハーネス４０からコンデンサ１８への振動や衝撃の伝達が緩和される。
【００２８】
上述のように本実施例１のノイズフィルタ１０は、電線４１を包囲するリング状の磁性材料からなるコア１１と、コア１１に潜らせたインダクタ１４と、インダクタ１４の両端に接続したコンデンサ１８と、コア１１を保持する保持部材２０と、保持部材２０に形成されてコンデンサ１８を収容可能な収容室３３とを備えている。このノイズフィルタ１０は、コンデンサ１８を収容室３３内に収容すれば、コンデンサ１８とコア１１との衝突が回避されるとともに、コンデンサ１８に対する外部からの異物の干渉も回避できるので、コンデンサ１８の破損を防止できる。
【００２９】
また、保持部材２０は、コア１１を収容するコア収容部材２１と、収容室３３が形成されていてコア収容部材２１に対して着脱可能なコンデンサ収容部材３０とを備えて構成されている。この構成によれば、コンデンサ１８とインダクタ１４を用いずにコア１１だけでノイズ除去を行う場合に、コア収容部材２１からコンデンサ収容部材３０を外しておくことにより、保持部材２０を小型化することができる。また、コア１１は、一対の半割磁性体１２を合体させて構成されたものであり、コア収容部材２１は、一対の半割磁性体１２を個別に保持可能な一対の半割部材２２，２３を合体させて構成されたものである。したがって、コア１１を電線４１に取り付ける作業が容易である。
【００３０】
＜他の実施例＞
本発明は上記記述及び図面によって説明した実施例に限定されるものではなく、例えば次のような実施例も本発明の技術的範囲に含まれる。  
（１）上記実施例１では、コアが一対の半割磁性体を合体させて構成されているが、コアは全周に亘って繋がった単一部品であってもよい。この場合、保持部材は、単一部品でもよく、一対の半割部材で構成されていてもよい。  
（２）上記実施例１では、保持部材がコア収容部材とコンデンサ収容部材とを組み付けて構成されているが、保持部材は、コアを収容する部位とコンデンサを収容する部位が単一部品で構成されたものであってもよい。  
（３）上記実施例１では、一対の半割部材を別部品としたが、一対の半割部材は、ヒンジで連結された単一部品であってもよい。  
（４）上記実施例１では、コンデンサ収容部材を単一部品としたが、コンデンサ収容部材は、コンデンサを挟むように合体される２つの部品で構成されていてもよい。  
（５）上記実施例１において、インダクタを、コアに複数回巻き付けたコイル状にしてもよい。  
（６）上記実施例１では、ワイヤーハーネスを構成する３本の電線が並列状に配置されているが、３本の電線は俵積み状に束ねられていてもよい。  
（７）上記実施例１では、ワイヤーハーネスを３本の電線で構成したが、ワイヤーハーネスを構成する電線の本数は、２本以下、又は４本以上でもよい。
【符号の説明】
【００３１】
１０…ノイズフィルタ
１１…コア
１２…半割磁性体
１４…インダクタ
１８…コンデンサ
２０…保持部材
２１…コア収容部材
２２，２３…半割部材
３０…コンデンサ収容部材
３３…収容室
４１…電線
【図１】
2015167271.tif 000003
【図２】
2015167271.tif 000004
【図３】
2015167271.tif 000005